(57)【要約】  楽曲に対応した照明制御情報が登録された照明制御データ（３５）を作成し、照明制御データ（３５）に基づいて照明装置（２０）を制御する照明制御装置（３０）であって、楽曲データ（１１）の拍位置を示す拍位置情報を取得する情報取得部（３１）と、拍位置情報の拍位置に対応した複数の基準位置を配置する基準位置配置部（３２）と、楽曲に対応した照明制御情報を設定する照明制御情報設定部（３４）と、基準位置を単位として照明制御情報を登録する照明制御情報編集部（３３）と、を有する。
2017126085.tif 000002
【特許請求の範囲】
【請求項１】
楽曲に対応した照明制御情報が登録された照明制御データを作成し、前記照明制御データに基づいて照明装置を制御する照明制御装置であって、
前記楽曲の拍位置を示す拍位置情報を取得する情報取得部と、
前記拍位置情報の拍位置に対応した複数の基準位置を配置する基準位置配置部と、
前記楽曲に対応した前記照明制御情報を設定する照明制御情報設定部と、
前記基準位置を単位として前記照明制御情報を登録する照明制御情報編集部と、を有することを特徴とする照明制御装置。
【請求項２】
請求項１に記載した照明制御装置において、
前記照明制御情報設定部は、表示部と操作部とを備え、
前記表示部に前記楽曲を示す画像および前記画像上で前記基準位置を示すグリッドを表示し、前記操作部を用いて前記グリッドに前記照明制御情報を設定可能であることを特徴とする照明制御装置。
【請求項３】
楽曲に対応した照明制御情報が登録された照明制御データを作成し、前記照明制御データに基づいて照明装置を制御する照明制御方法であって、
前記楽曲の拍位置を示す拍位置情報を取得し、
前記拍位置情報の拍位置に対応した複数の基準位置を配置し、
前記楽曲に対応した前記照明制御情報を設定し、
前記基準位置を単位として前記照明制御情報を登録することを特徴とする照明制御方法。
【請求項４】
請求項３に記載した照明制御方法をコンピュータシステムで実行させることを特徴とする照明制御プログラム。
【発明の詳細な説明】
【技術分野】
【０００１】
本発明は、照明制御装置、照明制御方法および照明制御プログラムに関する。
【背景技術】
【０００２】
コンサートやクラブシーンにおいて、音楽に対応した照明あるいは楽曲に同期して照明を変化させることは、演出上重要な要素である。
楽曲に対応した照明を用いた緻密な演出効果を得るためには、楽曲を理解した専属の照明スタッフが操作することが望ましい。しかし、小規模なコンサートやクラブ、イベント等では、費用の都合などから、専属スタッフを常駐させることが困難である。【０００３】
これに対し、楽曲に対応した照明の自動化が試みられている。例えば、特許文献１あるいは特許文献２の技術は、楽曲に対応した照明内容に関する照明制御データを予め作成しておき、演奏時に楽曲と同期して照明制御データに基づき照明を制御することで、楽曲に対応した所望の照明を実現している。
照明制御データの作成にあたっては、対象となる楽曲データに対して、予め楽曲解析を行い、楽曲のブロック（例えばＡメロ、Ｂメロ、サビなど）に区画し、各ブロックのイメージに適した照明パターンを指定する等がなされている。
【先行技術文献】
【特許文献】
【０００４】
【特許文献１】特許第３７４３０７９号公報
【特許文献２】特開２０１０−１９２１５５号公報
【発明の概要】
【発明が解決しようとする課題】
【０００５】
前述した特許文献１あるいは特許文献２の照明制御では、予め楽曲データに対して照明制御データを作成しておく必要がある。とくに、楽曲の多数のブロックに対して、所望の照明パターン等を割り当てておく必要がある。
しかし、楽曲の各ブロックと、対応する照明の制御とのタイミングが整合していないと、楽曲と照明との間で時間的なずれが生じ、所望の演出効果が得られない。
また、コンサートやクラブシーンにおいて、ＤＪ（ディスクジョッキー）が任意の楽曲を選択する場合など、事前に照明制御データを準備できない。このような状況では、現場で急ぎ照明制御データを作成することも考えられるが、前述のような正確なタイミング設定までをも短時間で完了することは、著しく困難である。【０００６】
本発明の目的は、楽曲に対応した照明制御データを容易かつ適切に設定できる照明制御装置、照明制御方法および照明制御プログラムを提供することにある。
【課題を解決するための手段】
【０００７】
本発明の照明制御装置は、楽曲に対応した照明制御情報が登録された照明制御データを作成し、前記照明制御データに基づいて照明装置を制御する照明制御装置であって、前記楽曲の拍位置を示す拍位置情報を取得する情報取得部と、前記拍位置情報の拍位置に対応した複数の基準位置を配置する基準位置配置部と、前記楽曲に対応した前記照明制御情報を設定する照明制御情報設定部と、前記基準位置を単位として前記照明制御情報を登録する照明制御情報編集部と、を有することを特徴とする。【０００８】
本発明の照明制御方法は、楽曲に対応した照明制御情報が登録された照明制御データを作成し、前記照明制御データに基づいて照明装置を制御する照明制御方法であって、前記楽曲の拍位置を示す拍位置情報を取得し、前記拍位置情報の拍位置に対応した複数の基準位置を配置し、前記楽曲に対応した前記照明制御情報を設定し、前記基準位置を単位として前記照明制御情報を登録することを特徴とする。【０００９】
本発明の照明制御プログラムは、前述した本発明の照明制御方法をコンピュータシステムで実行させることを特徴とする。
【図面の簡単な説明】
【００１０】
【図１】本発明の一実施形態の構成を示すブロック図。
【図２】楽曲に対応した照明制御情報を示す模式図。
【図３】楽曲の拍位置解析および照明制御情報設定用グリッドを示す模式図。
【図４】楽曲の各部に照明制御情報を設定する処理を示す模式図。
【図５】表示部に表示される照明制御情報の設定画面を示す模式図。
【発明を実施するための形態】
【００１１】
以下、本発明の一実施形態を図面に基づいて説明する。
図１には、クラブ等のライブスペース用の音響照明システム１が示されている。
音響照明システム１は、音楽再生を行う楽曲再生装置１０と、ライブスペース内の照明を行う照明装置２０と、照明装置２０を制御する照明制御装置３０とを備えている。
【００１２】
楽曲再生装置１０は、音楽再生ソフトウェアが組み込まれた汎用のＰＣ（パーソナルコンピュータ）と、このＰＣに接続された音響システムとを有し、ＰＣにストアされた楽曲データ１１を音声信号として音響システムに送ることで、この楽曲データ１１に基づく音楽をライブスペース内に再生することができる。
楽曲データ１１は、ディスク媒体で楽曲再生装置１０に供給されるほか、ネットワーク通信を介して楽曲再生装置１０に供給される。
【００１３】
なお、楽曲再生装置１０としては、前述のような汎用ＰＣを用いたＰＣオーディオシステムに限らず、専用のディスク再生装置あるいは音楽データ再生装置であってもよい。また、楽曲再生装置１０は、ＤＪ（ディスクジョッキー）などのユーザ９が、スクラッチ等の特殊再生あるいはエフェクト操作をするためのＤＪコントローラを有し、あるいはＤＪコントローラが接続されていてもよい。
【００１４】
照明装置２０は、ライブスペース内やイベントスペース内の照明を行うものであり、ライブ設備として多用される各種の照明器具２１を備えている。
照明器具２１は、舞台照明に多用される、例えばパーライト、ストロボライト、ムービングヘッドなどである。これらの照明器具２１においては、それぞれ投光の断続、明るさのほか、器具によって照射方向、動作速度などのパラメータを指定することができる。
【００１５】
これらのパラメータを制御するために、照明装置２０の照明器具２１は、それぞれＤＭＸ５１２規格に準拠するとともに、同規格に基づいて互いに接続され、同規格に準拠した照明制御信号２２を送信することで、各照明器具２１に所期の照明を実行させることができる。
なお、ＤＭＸ５１２規格は舞台照明分野で一般的な規格であるが、照明装置２０および後述する照明制御装置３０は同規格に限らず、他の規格に基づくものであってもよい。
【００１６】
照明制御装置３０は、汎用のＰＣ（パーソナルコンピュータ）や組み込み機器等に、本発明に基づく制御を実行する照明制御ソフトウェアが組み込まれたものである。なお、照明制御装置３０に用いるＰＣは、前述した楽曲再生装置１０に用いるＰＣと同じものを共用してもよい。
照明制御装置３０には、前述した照明制御ソフトウェアにより、情報取得部３１、基準位置配置部３２、照明制御情報編集部３３、照明制御情報設定部３４、照明制御部３６が構成される。
【００１７】
このうち、情報取得部３１、基準位置配置部３２、照明制御情報編集部３３、照明制御情報設定部３４は、本発明に基づいてユーザ９が照明制御データ３５を作成するものである。
一方、照明制御部３６は、作成された照明制御データ３５に基づいて照明装置２０を制御するものである。本実施形態において、照明制御部３６は、照明制御装置３０のＰＣ上で実行されるＤＭＸコントロールソフトウェアで構成される。また、照明制御データ３５は、照明制御部３６で処理されるＤＭＸ制御プログラムとされている。
これらの照明制御データ３５および照明制御部３６は、各々照明装置２０のＤＭＸ５１２規格に準拠しており、同規格に基づいて照明制御データ３５に照明動作を記述しておくことにより、照明制御部３６により照明装置２０に所望の照明動作を実行させることができる。
なお、照明制御部３６は、ＤＭＸコントロールソフトウェアではなく、照明制御装置３０として用いるＰＣに接続されたハードウェアＤＭＸコントローラであってもよい。また、照明装置２０がＤＭＸ規格とは別の規格に基づく場合、照明制御部３６も当該規格に応じて構成される。
【００１８】
本実施形態において、照明制御データ３５には、楽曲データ１１の各部に対応した照明制御情報が割り当てられる。
図２に示すように、楽曲データ１１は、例えば、イントロ、Ａメロ、Ｂメロ、サビ、ブレイク、Ａメロ繰り返し、アウトロの各ブロック１１１で構成される。
照明制御データ３５には、各ブロック１１１に対応した照明制御情報３５１が設定される。つまり、イントロ、Ａメロ、Ｂメロ、サビ、ブレイク、Ａメロ繰り返し、アウトロの各々に、それぞれ個別の照明制御情報３５１が割り当てられる。
本実施形態では、このような照明制御情報３５１の割り当てにあたって、情報取得部３１、基準位置配置部３２、照明制御情報編集部３３、照明制御情報設定部３４により、拍位置を単位とした処理が行われる。
【００１９】
情報取得部３１は、楽曲再生装置１０から楽曲データ１１を読み込み、記録された音データの楽曲解析を行うことにより、楽曲の拍位置およびテンポを検出し、拍位置情報として記録する。拍位置情報において、拍位置は、各々の楽曲データ１１上の時間位置により記録することができる。
さらに、情報取得部３１は、ドラム音およびスネア音を識別し、これらから１，３拍位置および２，４拍位置を検出する等により、小節位置を検出してもよい。また、楽曲のキーおよびコードを解析し、フレーズの分布を検出する等により、複数小節からなるブロック（例えばＡメロ、Ｂメロ、サビなど）を検出してもよい。
このような楽曲解析を行う技術としては、例えば、特開２０１０−９７０８４号公報に記載の技術が採用できる。
【００２０】
基準位置配置部３２は、情報取得部３１で得られた拍位置情報の拍位置に基づいて、照明制御情報を割り当てるための複数の基準位置を配置する。
例えば、楽曲データ１１に対応した長さのブランクの照明制御データを作成しておき、このブランクの照明制御データにおける、拍位置情報の各拍位置に対応する時間位置に、それぞれ基準位置を記録してゆく。その結果、楽曲データ１１に対応した長さであって、多数の基準位置で細かな単位に区画されたブランクの照明制御データが得られる。
【００２１】
照明制御情報編集部３３は、前述した照明制御部３６に渡すべき照明制御データ３５を作成する。
例えば、基準位置配置部３２で基準位置が配置されたブランクの照明制御データに対して編集を行い、その該当部分に照明制御情報３５１（図２参照）を割り付けてゆく。
割り付けられる照明制御情報は、照明制御情報設定部３４により設定される。
【００２２】
照明制御情報設定部３４は、ユーザ９の操作を受け付けるための表示部３４１および操作部３４２を備えている。表示部３４１は、例えば、照明制御装置３０に用いられるＰＣに接続された表示画面であり、操作部３４２は、同ＰＣに接続されたキーボードや、タッチパッドなどのポインティングデバイスである。
【００２３】
表示部３４１は、楽曲を示す画像およびこの画像上の基準位置を表示する。
表示部３４１の表示画像としては、例えば、ブランクの照明制御データを示す横長のバーグラフと、その中間部分に縦長の区切り線で表示されたグリッドとすることができる。
【００２４】
操作部３４２は、ユーザ９が操作することで、楽曲の各部に適した照明制御情報３５１を設定するものである。例えば、表示部３４１の画面上に、楽曲を示す横長のバーグラフが表示されていれば、そのグリッドのいずれかを選択し、そこに所望の照明制御情報を設定する。
所望の照明制御情報としては、前述した照明装置２０における照明器具２１の指定、および各照明器具２１のパラメータ（投光の断続、明るさのほか、器具によって照射方向、動作速度など）の指定が用いられる。
【００２５】
このような照明制御情報は、そのつどユーザ９が定義してもよいし、予め照明制御情報編集部３３に汎用性が高い照明制御情報セットをプリセットしておき、これを表示部３４１に表示させ、操作部３４２で選択するようにしてもよい。
さらに、照明制御情報セットを組み合わせて所定のイメージ（暗い、明るい、赤系、青系などの単純イメージから、賑やか、楽しい、寂しげ、悲しい、恐いなどの情感イメージを含む）を喚起するような照明パターンを予め作成しておいてもよい。
【００２６】
照明制御情報設定部３４により設定された照明制御情報は、照明制御情報編集部３３に返され、ブランクの照明制御データの該当部位に登録される。
例えば、楽曲のＡメロ部分に照明制御情報セットＡが設定されたならば、照明制御情報編集部３３は、照明制御データのＡメロ部分に対応する部位に、照明制御情報セットＡに対応する照明制御情報を埋め込む。
【００２７】
ここで、照明制御情報編集部３３は、ブランクの照明制御データの基準位置を単位として、照明制御情報を照明制御データ上に登録する。つまり、設定された照明制御情報は、その先頭位置が、最寄りの基準位置に強制的に位置調整（いわゆる吸着）される。
なお、ユーザ９の操作により、設定された照明制御情報の先頭位置を、最寄りの基準位置からずらすこともできる。具体的には、照明制御情報の照明制御データにおける時間位置を、基準位置からずれた数値に変更する等を行えばよい。あるいは、操作部３４２を操作して、表示部３４１の画面上で、先頭位置をずらす操作を行ってもよい。
【００２８】
次に、本実施形態における動作について説明する。
ユーザ９が楽曲再生装置１０で楽曲データ１１を指定すると、照明制御装置３０では、情報取得部３１により、楽曲データ１１の楽曲解析が行われる。そして、基準位置配置部３２により、基準位置で区画されたブランクの照明制御データが作成される。
図３に示すように、楽曲データ１１の各部において、その音声信号レベルに現れるビートから、拍位置が検出される。ブランクの照明制御データ３５３には、拍位置に基づいて基準位置３５２が配置される。
ブランクの照明制御データ３５３は、表示部３４１においては、照明情報設定用のグリッドで区画されたバーグラフとして表示される。
【００２９】
ユーザ９は、照明制御情報設定部３４の操作部３４２を操作して、各ブロックの照明制御情報を設定する。設定された照明制御情報は、照明制御情報編集部３３でブランクの照明制御データに割り当てられ、照明制御データ３５が作成される。
図４に示すように、ユーザ９は、楽曲データ１１の各ブロックのイメージに基づいて、照明イメージ３５４を決定する。そして、照明イメージ３５４を具現化する照明制御情報３５１を、ブランクの照明制御データ３５３に割り当ててゆく。
【００３０】
表示部３４１においては、ブランクの照明制御データ３５３がバーグラフで表示され、このバーグラフには基準位置３５２を示すグリッドが表示されている。
ユーザ９は、該当するグリッドに対して、おおよその位置で照明制御情報３５１を指定する。このようなおおよその位置指定であっても、照明制御情報編集部３３が照明制御情報３５１を最寄りの基準位置３５２に揃える処理を行う。
これにより、照明制御情報３５１が基準位置３５２にきちんと揃えて割り当てられた照明制御データ３５が作成される。
【００３１】
図５には、ユーザ９は、楽曲データ１１の各ブロックのイメージに基づく照明制御情報３５１を決定するための操作画面を示す。
画面４０において、上辺に沿って楽曲データ１１のレベルグラフ４１が表示され、その時間軸に沿って多数の照明制御情報アイコン４２が配置されている。
その下方には、照明制御情報リスト４３が表示され、リストされた照明制御情報タイトル４４には、前述した照明制御情報アイコン４２との対応関係を示す色のマーカ４５が表示されている。
照明制御情報タイトル４４は、その表示をクリック等することで、この照明制御情報タイトル４４に対応する照明制御情報３５１の内容４６が表示される。各内容４６については、さらにその表示をクリック等することで、より詳細な照明制御内容４７の設定画面が表示される。
【００３２】
以上説明した本実施形態によれば、ユーザ９が照明制御情報３５１を、楽曲データ１１に対応するブランクの照明制御データ３５３の大まかな位置に設定したとしても、照明制御情報３５１は拍位置に準じた基準位置３５２を単位に登録される。つまり、作成される照明制御データ３５においては、楽曲データ１１の各部に対応した照明制御情報３５１が、拍位置を単位として登録され、時間的なずれを生じないようにできる。
また、照明制御情報３５１が拍位置を単位とした位置へと自動的に補正されるため、短時間で照明制御データ３５を作成する状況でも、微妙な操作を緩和することができ、操作の容易さおよび適切さを確保することができる。
【００３３】
また、本実施形態では、表示部３４１に表示された楽曲の画像（ブランクの照明制御データ３５３）に、操作部３４２を用いて照明制御情報３５１を設定することができる。すなわち、照明制御情報３５１は、バーグラフ表示されるブランクの照明制御データ３５３にグリッドで示される基準位置３５２を単位として登録される。つまり、操作部３４２による操作がグリッドに対してずれていても、自動的にグリッド位置に吸着される。従って、慌ただしい操作であっても、拍位置を単位とする適切な位置に、確実な設定を行うことができる。
【００３４】
なお、本発明は前述した実施形態の構成に限らず、本発明の目的を達成できる範囲での変形などは、本発明に含まれる。
例えば、楽曲再生装置１０は、ＰＣオーディオシステムに限らず、専用のディスク再生装置あるいは音楽データ再生装置であってもよい。また、楽曲再生装置１０は、ＤＪ操作用のＤＪコントローラを有し、あるいはＤＪコントローラが接続されていてもよい。
また、照明装置２０および照明制御装置３０は、ＤＭＸ５１２規格に準拠したものに限らず、他の規格に基づくものであってもよい。
【００３５】
さらに、前記実施形態では、基準位置として拍位置を検出し、照明制御情報の位置の基準としたが、照明制御情報の指定単位としては、拍位置を単位とした任意の長さに限らず、小節単位あるいは複数小節からなるブロック単位（例えばＡメロ、Ｂメロ、サビなど）とし、それぞれの単位ごとに照明制御情報を設定できるようにしてもよい。
なお、小節単位あるいはブロック単位とする場合でも、基準位置は拍位置に基づくものとしてよい。
【符号の説明】
【００３６】
１…音響照明システム、１０…楽曲再生装置、１１…楽曲データ、１１１…ブロック、２０…照明装置、２１…照明器具、２２…照明制御信号、３０…照明制御装置、３１…情報取得部、３２…基準位置配置部、３３…照明制御情報編集部、３４…照明制御情報設定部、３４１…表示部、３４２…操作部、３５…照明制御データ、３５１…照明制御情報、３５２…基準位置、３５３…照明制御データ、３５４…照明イメージ、３６…照明制御部、４０…画面、４１…レベルグラフ、４２…照明制御情報アイコン、４３…照明制御情報リスト、４４…照明制御情報タイトル、４５…マーカ、４６…内容、４７…照明制御内容、９…ユーザ。
【図１】
2017126085.tif 000003
【図２】
2017126085.tif 000004
【図３】
2017126085.tif 000005
【図４】
2017126085.tif 000006
【図５】
2017126085.tif 000007
【国際調査報告】
2017126085.tif 000008
2017126085.tif 000009